(57)【要約】【課題】簡単且つ安価にケーブルを結束する。【解決手段】ケーブルクランプにおいて，内部に前記固定用バンドの抜け防止を行うための抜け防止片を有する第１及び第２固定用バンド挿入孔が形成されたバンド固定体と，前記バンド固定体から延出され，前記抜け防止片と噛み合うよう連続形成された鋸歯状の係止歯を備える，基部と，該基部から先端部側の前部とから成る固定用バンドと，を備え，前記前記第１固定用バンド挿入孔の一方側の開口部から固定用バンドを挿入することによって，固定用バンドは前記基部において第１固定用バンド挿入孔に挿入係止されて第１結束部を形成し，加えて，前記第２固定用バンド挿入孔の他方側の開口部から固定用バンドを挿入することによって，固定用バンドは前記前部において第２固定用バンド挿入孔に挿入係止されて第２結束部を形成する。【選択図】  図３
2007089364.tif 000002
【特許請求の範囲】
【請求項１】
バンド固定体から延出した固定用バンドを，該バンド固定体に形成した固定用バンド挿入孔に挿通係止するケーブルクランプにおいて，
内部に前記固定用バンドの抜け防止を行うための抜け防止片を有する第１及び第２固定用バンド挿入孔が形成されたバンド固定体と，
前記バンド固定体から延出され，前記抜け防止片と噛み合うよう連続形成された鋸歯状の係止歯を備える，基部と，該基部から先端部に掛けての前部とから成る固定用バンドと，を備え，
前記前記第１固定用バンド挿入孔の一方側の開口部から固定用バンドを挿入することによって，固定用バンドは前記基部において第１固定用バンド挿入孔に挿入係止されて第１結束部を形成し，加えて，前記第２固定用バンド挿入孔の他方側の開口部から固定用バンドを挿入することによって，固定用バンドは前記前部において第２固定用バンド挿入孔に挿入係止されて第２結束部を形成可能である，ように構成したことを特徴としたケーブルクランプ。
【請求項２】
前記バンド固定体を前記第１及び第２結束部の配列方向と直交する方向に複数個備え，各バンド固定体を連結部材で相互に連結させると共に，各バンド固定体からは，各バンド固定体に形成した固定用バンド挿入孔に対応する固定用バンドを延出した事を特徴とした請求項１に記載のケーブルクランプ。
【請求項３】
前記第１結束部若しくは前記第２結束部の何れか一方は同軸ケーブルに巻回して縛り付け固定し，他方の結束部は棒状体に巻回して縛り付け固定することによって，前記同軸ケーブルを前記棒状体に沿うように配設可能なテレビ受信システム用であることを特徴とした請求項１又は請求項２の何れかに記載のケーブルクランプ。
【発明の詳細な説明】
【技術分野】
【０００１】
本発明は，主にテレビ受信システムに利用される同軸ケーブルを，アンテナ支持柱やベランダの支柱等の棒状体に沿わせるように固定するためのケーブルクランプに関し，詳しくはそのケーブルクランプの構造に関する。
【背景技術】
【０００２】
従来より，例えばＵＨＦ，ＶＨＦ帯の信号をテレビ受信用増幅装置によって増幅して宅内に引き込むようなシステムを考えると，アンテナからの信号用ケーブルとアンテナ支柱，信号用ケーブル同士などが接触若しくは近接しないよう，夫々所定の距離だけ離して配線するために，アンテナ支柱に支柱スタンドオフを備えさせるようにしていた。信号用ケーブルとしては２００Ωフィーダや７５Ω同軸ケーブルが有り，そのために支柱スタンドオフは，２００Ωフィーダ専用であったり，フィーダと７５Ω同軸ケーブルにも対応可能であったりするように構成されていた。
つまり，この支柱スタンドオフは，信号用ケーブルを外観的にも綺麗にスッキリと配設するためばかりでなく，信号ケーブルである同軸ケーブルやフィーダが，金属体等から形成されているアンテナ支柱と近接若しくは接触することで，金属体等の影響によって信号ケーブルの特性が乱れたり，信号ケーブル同士が近接若しくは接触することで，信号ケーブルから漏れ出た信号によって，相互に妨害を受けたり，最悪は増幅器が発振してしまう事のないようにするために設けられているのである。
（例えば，特許文献１に示される「図８一般的な家庭で，テレビ放送を受信するのに必要な受信設備の一例を示す概略構成図」参照）
【０００３】
【特許文献１】特許２００１−５３６３９号公報
【発明の開示】
【発明が解決しようとする課題】
【０００４】
ところで，近年におけるテレビ受信システムでは，衛星放送にも対応できるようにするために，例えばテレビ受信増幅器等のテレビ受信機器は高シールド性を有した超広帯域な特性が必要となった。また，衛星放送のディジタル化ばかりでなく，地上波においてもディジタル化が進んだことによって，テレビ受信システムは，全ての配線において，高周波特性に優れ，外部雑音等の妨害を受けない７５Ω同軸ケーブルを使って配線することが主流になった。
更に加えて，同軸ケーブルにおいては，外部導体として，導体編組だけでなくアルミ箔を備えさせた２重シール構造のものから，更に２組の導体編組とアルミ箔とで３重シールド構造を有する，超広帯域（１０〜２６００MHz）にわたり外部からの雑音を遮断する，高シールド型の７５Ω３重シールドケーブルが提供されるようになった。
このような状況に有って，テレビ受信システムの配線においては，従来のような支柱スタンドオフを用いて配線する方法ばかりでなく，同軸ケーブルの特性向上により取付対象物による影響を受けないことから，同軸ケーブルをアンテナ支柱やフェンスなど沿わせるように配線して，取付対象物と同軸ケーブルをビニルテープを巻き付ることで固定する簡易的な方法を行う場合も有った。
しかしながら，前者においては，支柱スタンドオフを数箇所にわたって取り付ける必要があるので，それを備えるためのコストが掛かるばかりでなく，取付作業に時間も掛かり，延いては受信システムのコストが高くなるといった問題があった。また，後者においては，ビニルテープによる巻き付け操作は簡単に行えるものの，支柱スタンドオフを使った場合に比べてもその美観は格別に良くなく，その上，信頼性が保証されないと言った問題があった。
そこで本願においては，こうした問題点を解決するためになされたものであり，
その目的は，美観を損なうことなく取付け可能なケーブルクランプを提供する事に有る。
他の目的は，２つの対象物を結束可能なケーブルクランプを提供緒することに有る。
他の目的は，安価で取付け簡単な同軸ケーブル用のケーブルクランプを提供する事に有る。
他の目的は，アンテナ支柱の様な棒状体に簡単に取付け可能な同軸ケーブル用のケーブルクランプを提供する事に有る。
他の目的は，上記ケーブルコネクタを複数個多連に備えた状態でも結束できるし，必要に応じて適宜に切り離して夫々が独立したケーブルクリップとしても使用できる汎用性の高いケーブルクリップを提供する事に有る。
【課題を解決するための手段】
【０００５】
上記課題を解決するために，請求項１の発明は，バンド固定体から延出した固定用バンドを，該バンド固定体に形成した固定用バンド挿入孔に挿通係止するケーブルクランプにおいて，内部に前記固定用バンドの抜け防止を行うための抜け防止片を有する第１及び第２固定用バンド挿入孔が形成されたバンド固定体と，前記バンド固定体から延出され，前記抜け防止片と噛み合うよう連続形成された鋸歯状の係止歯を備える，基部と，該基部から先端部に掛けての前部とから成る固定用バンドと，を備え，前記前記第１固定用バンド挿入孔の一方側の開口部から固定用バンドを挿入することによって，固定用バンドは前記基部において第１固定用バンド挿入孔に挿入係止されて第１結束部を形成し，加えて，前記第２固定用バンド挿入孔の他方側の開口部から固定用バンドを挿入することによって，固定用バンドは前記前部において第２固定用バンド挿入孔に挿入係止されて第２結束部を形成可能である，ように構成した。
【０００６】
請求項２の発明は，請求項１に記載のケーブルクランプにおいて，前記バンド固定体を前記第１及び第２結束部の配列方向と直交する方向に複数個備え，各バンド固定体を連結部材で相互に連結させると共に，各バンド固定体からは，各バンド固定体に形成した固定用バンド挿入孔に対応する固定用バンドを延出した。
【０００７】
請求項３の発明は，請求項１又は請求項２の何れかに記載のケーブルクランプにおいて，前記第１結束部若しくは前記第２結束部の何れか一方は同軸ケーブルに巻回して縛り付け固定し，他方の結束部は棒状体に巻回して縛り付け固定することによって，前記同軸ケーブルを前記棒状体に沿うように配設可能なテレビ受信システム用であるように構成した。
【発明の効果】
【０００８】
請求項１の発明によれば，バンド固定体から延出した固定用バンドを，該バンド固定体に形成した固定用バンド挿入孔に挿通係止するケーブルクランプにおいて，内部に前記固定用バンドの抜け防止を行うための抜け防止片を有する第１及び第２固定用バンド挿入孔が形成されたバンド固定体と，前記バンド固定体から延出され，前記抜け防止片と噛み合うよう連続形成された鋸歯状の係止歯を備える，基部と，該基部から先端部に掛けての前部とから成る固定用バンドと，を備え，前記前記第１固定用バンド挿入孔の一方側の開口部から固定用バンドを挿入することによって，固定用バンドは前記基部において第１固定用バンド挿入孔に挿入係止されて第１結束部を形成し，加えて，前記第２固定用バンド挿入孔の他方側の開口部から固定用バンドを挿入することによって，固定用バンドは前記前部において第２固定用バンド挿入孔に挿入係止されて第２結束部を形成可能である，ように構成したので，
これによって固定用バンドは第１固定用バンド挿入孔に挿入係止することで，結束しようとする対象物に巻回して縛り付け固定することができ，更に加えて，固定用バンドを第２固定用バンド挿入孔に挿入係止することで，前記対象物とは異なる結束対象物を縛り付け固定可能なように構成され，２つの対象物を簡単，安価，且つ綺麗に結束できる。
【０００９】
請求項２の発明によれば，請求項１に記載のケーブルクランプにおいて，前記バンド固定体を前記第１及び第２結束部の配列方向に直交する方向に複数個備え，各バンド固定体を連結部材で相互に連結させると共に，各バンド固定体からは，各バンド固定体に形成した固定用バンド挿入孔に対応する固定用バンドを延出したので
第１結束部が上下方向に２つ形成されることから，例えば第１結束部に結束する対象物を，より強固に固定できるのである。また，第２結束部も２つ形成可能であることから，上述のように第２結束部に結束される対象物を強固に固定して利用するのも良いし，各結束部の夫々に異なる結束対象物を固定することによって整然と結束できるのである。
また，このように多連に形成すれば，生産性が向上し製品単価を安価にできるばかりでなく，設置の現場における状態に応じてナイフやハサミを使って適宜に連結数を切り分けることができ，ユーザーサイドにおいても利便性の高いケーブルクリップを提供できるのである。
【００１０】
請求項３の発明によれば，請求項１又は請求項２の何れかに記載のケーブルクランプにおいて，前記第１結束部若しくは前記第２結束部の何れか一方は同軸ケーブルに巻回して縛り付け固定し，他方の結束部は棒状体に巻回して縛り付け固定することによって，前記同軸ケーブルを前記棒状体に沿うように配設可能なテレビ受信システム用であるように構成したので，
アンテナからの引込線が，アンテナ支柱等の棒状体に沿わせた状態で，風などによって揺れないようにスッキリと配線可能な，安価で，且つ，取り付け簡単なケーブルクリップを提供できる。また，これによって，例えば，アンテナやテレビ受信用ブースタ等のコネクタ座と接続するための，同軸ケーブルに接続されたＦ型コネクタには，ケーブルの遥動による負荷が掛からないことになり，Ｆ型コネクタと同軸ケーブルの接続部分における緩みが発生して電気的特性が劣化する等の問題発生が押えられるなど，信頼性の高い配線システムを提供できるのである。
【発明を実施するための最良の形態】
【００１１】
以下に，本発明の二重結束構造を有するケーブルクリップを具体化した実施形態の例を，図面を基に詳細に説明する。
【実施例１】
【００１２】
図１は本発明に係るケーブルクリップの外観図であり，（ａ）は正面図，（ｂ）は側面図である。図２は挿入係止の状態を示す一部破断の拡大断面図である。図３は本発明に係るケーブルクリップの組付け状態を示す図であリ，（ａ）は第１固定用バンド挿入孔に挿入係止した状態の上面から見た図，（ｂ）は更に第２固定用バンド挿入孔に挿入係止した状態の上面から見た図である。
図に示される１は本発明に係るケーブルクリップであり，バンド固定体１０と，該バンド固定体１０から延出した固定用バンド２０を合成樹脂材により一体的に形成した構造となっている。
固定用バンド２０は，表面に鋸歯状に連続的に形成された係止歯１２０が形成された，バンド固定体１０側の基部２１と，該基部２１から先端部に掛けての前部２２とから成る可撓性を有する所定の長さ有するように構成されている。
【００１３】
バンド固定体１０は略直方体に形成されており，２つの固定バンド挿入孔１２，１３がバンド固定体１０の長手方向に適宜に間隔を隔てるように形成されている。尚，本発明の実施例では，固定用バンド２０に近いほうの挿入孔を第１固定バンド挿入孔１２，遠いほうの挿入孔を第２固定バンド挿入孔１３とする。
この固定バンド挿入孔１２，１３内には夫々に前記固定用バンドを係止するための抜け防止片１５，１６が形成されている。
【００１４】
ここで固定バンド挿入孔１２の内部に形成された抜け防止片１５について説明する。図２によく示されるように，この抜け防止片１５はバンド固定体１０と一体的に形成されており，固定バンド挿入孔１２の下側内壁に可撓性を有するように形成された連結部１５１によって上下方向（以下，特に明記しない限り図に示される方向を基準とする。）に遥動可能に連結されている。
更に抜け防止片１５の図における上面部には，鋸歯状に形成された１若しくは複数の係止爪１５２が形成されている。
【００１５】
即ち，この抜け防止片１５は，固定バンド挿入孔１２の開口部１２ａ側から，前記固定用バンド１０を挿通したときに，前記係止爪１５２が前記固定用バンド１０に連続的に形成された鋸歯状の係止歯１２０・・・の何れかと係止するように構成されている。抜け防止片１５の通常状態は，係止爪１５２と固定バンド挿入孔１２の上側内壁との間隔が，固定用バンド１０の肉厚より僅かに小さくなるように形成され，固定用バンド１０の挿入時には該固定バンド１０が抜け防止片１５を下方向に遥動させながら挿入され，逆に，固定用バンド１０を抜脱しようとする場合，抜け防止片１５の上方に向かう付勢力で遥動することで，係止歯１２０と係止爪１５０とが係止することで固定用バンド２０がバンド固定体１０に抜け難く挿入係止される。
【００１６】
次に固定バンド挿入孔１３について説明する。この挿通孔１３は基本的に前記固定バンド挿入孔１２と同様な構成から成り，この構成と異なる点は，抜け防止片１６が固定バンド挿入孔１３の上面内壁に形成されると共に，その配置方向は前記抜け防止片１５と対向する方向となるように形成されている。
即ち，固定用バンド１０を第２固定バンド挿入孔１３の開口部１３ｂ側（前記第１固定バンド挿入孔１２の開口部１２ａとは反対側）から挿入することによって，前記固定用バンド２０に形成した係止歯１２０と抜け防止片１６に形成された係止爪１６２とが係止するように構成されているのである。
【００１７】
このように本発明のケーブルクランプによれば，固定用バンド２０は第１固定用バンド挿入孔１２に挿入係止することで，結束しようとする対象物に巻回して縛り付け固定することができ，更に加えて，固定用バンド２０を第２固定用バンド挿入孔１３に挿入係止することで，前記対象物とは異なる結束対象物を縛り付け固定可能なように構成されているのである。尚，固定用バンド２０の基部２１が第１固定用バンド挿入孔１２に挿入係止されることで請求項に記載の第１結束部３１が形成され，固定用バンド２０の前部２２が第２固定用バンド挿入孔１３に挿入係止されることで請求項に記載の第２結束部３２が形成される。
【実施例２】
【００１８】
次に本発明の第２の実施形態として図４（ａ），（ｂ）を参照して説明する。この図においてケーブルクリップは１００，１０１で示される。尚，以下の説明では，上記第１の実施形態のケーブルクリップ１と同様の構成要素については同一符号を付与し，詳細な説明は省略する。
図４（ａ）に示されるケーブルクリップ１００は，第１実施形態に示すケーブルクリップ１を連結部材３５によって左右方向に連結したものである。
この連結部材３５はバンド固定体１０と一体的に形成されたものであり，例えばケーブルクリップを連結部材３５によって複数個連結するように金型を形成し，成形したケーブルクリップを必要に応じて適宜に切断して第１実施例のように１個で使用できるようにしたり，第２実施例の如く２個連結した状態で切断したりするように生産すれば生産性も向上する。また，連結部材３５は合成樹脂材で形成されているので，ユーザーサイドにおいて，例えばナイフやハサミ等を用いてカットするようにしてもよい，などその実施形態は実施例に限定されるものではない。
即ち，この第２実施形態によれば，第１結束部３１が上下方向に２つ形成されることから，例えば第１結束部３１に結束する対象物を，より強固に固定できるのである。また，第２結束部３２も２つ形成可能であることから，上述のように第２結束部３２に結束される対象物を強固に固定して利用するのも良いし，各結束部３２の夫々に異なる結束対象物を固定するようにしてもよい。
【００１９】
図４（ｂ）に示されるケーブルクリップ１０１は，第２実施形態に示すケーブルクリップ１００の異なる実施例を示すものであり，バンド固定体１を上下方向にずらした状態で連結部材３５によって左右方向に連結したものである。
この実施例も，前記第２実施形態と同様の目的と効果を有するように形成されたものであるが，この実施例の特長は，第２結束部３２，３２が異なる位置に配設されることにある。即ち，第１結束部３１，３１は結束対象物の軸線方向に軸線を一致させて配設されるのであるが，第２結束部３２，３２は，夫々の第２結束部３２，３２に結束される対象物が相互に重合しない位置に軸線を有するように配設されることによって，複数の異なる対象物を整列させて結束できるのである。
尚，この第２実施例ではケーブルクリップを２つ連結したものを示すが，特にこの実施例に限定されるものではなく２つ以上連結してもよい事は言うまでもない。
【００２０】
次にこのケーブルクリップを用いた具体的な例を説明する。図５は受信システムの概略構成を示す図であり，図６は図５におけるＡ−Ａ線断面図である。この図において４５は地上ディディジタル対応のＵＨＦアンテナである。
地上ディジタル放送が開始されることによって，電波到来方向によっては新たにアンテナを設置する必要が生じる。この地上ディジタル放送を，より安定的に受信したり，複数のテレビ端子に信号を分配したりするためには，従来からある利得の高いアンテナを使うのがよい。しかし，電界強度が強い地域においては，屋根上にアンテナを設置する方法ばかりでなく，例えばベランダ５０等に小型のアンテナ４５を設置して地上ディジタル放送を受信して，受信信号を宅内に引き入れるような受信システムも考えられる。
このような受信システムでは，電気店に設置してもらったり，ユーザー自身がアンテナの設置を行ったりするのであるが，このような簡易的な取り付けにおいては，アンテナ４５からの引込線５２はベランダ５０の支柱５１に沿わせた状態で，風などによって揺れないようにするために，例えばビニルテープ等で支柱５１と同軸ケーブル５２を巻回して固定する方法が取られることもあり，その美観は良くなく，信頼性も損なわれるものであった。
【００２１】
そこで，本発明では，従来からあるスタンドオフではない，安価で，且つ，取り付け簡単なケーブルクリップ１を作成することによって，前記ベランダ５０の支柱ばかりでなく屋根上に設置するアンテナ支柱などの棒状体５１に対して同軸ケーブル５２を沿わすように配設可能にするものであり，即ち，本発明のケーブルクリップ１を用いることによって，第１結束部においてベランダの支柱やアンテナ支柱に縛り付けて固定すると共に，更に加えて，第２結束部には同軸ケーブルを結束することができ，誰でも，美しく，簡単，確実，且つ，安全に棒状体と同軸ケーブルとを沿わせるように配設することができるのである。
【００２２】
更にケーブルクリップ１００，１０１のようにケーブルクリップ１を，連結部材３５を介して多連に備えさせれば，棒状体には複数の固定用バンドで固定することができ，棒状体に強固に固定できるばかりでなく，第２結束部が複数備えられることから，ＶＨＦアンテナとＵＨＦアンテナ，ＵＨＦアンテナと衛星アンテナといった複数のアンテナからの引込線を，夫々の結束部に結束でき，これによって同軸ケーブルが整然と配線できるのである。また，このように多連に形成したものであれば，設置の現場における状態に応じてナイフやハサミを使って適宜に切り分けることができ，汎用性の点からも利便性の高いケーブルクリップを提供できるのである。
尚，本発明は上記実施の形態に限定されるものではなく，本発明の趣旨を逸脱しない範囲で各部の構成を適宜に変更して実施することも可能である。
【図面の簡単な説明】
【００２３】
【図１】本発明に係るケーブルクリップの外観図であり，（ａ）は正面図，（ｂ）は側面図である。
【図２】挿入係止の状態を示す一部破断の拡大断面図である。
【図３】本発明に係るケーブルクリップの組付け状態を示す図であリ，（ａ）は第１固定用バンド挿入孔に挿入係止した状態の上面から見た図，（ｂ）は更に第２固定用バンド挿入孔に挿入係止した状態の上面から見た図である。
【図４】はケーブルクリップの第２実施形態を示し，（ａ）はケーブルクリップを多連に連結したものであり，（ｂ）はその異なる実施例である。
【図５】は本発明のケーブルクリップを用いた受信システムの概略構成を示す。
【図６】図５におけるＡ−Ａ線断面図である。
【符号の説明】
【００２４】
１・１００・１０１…ケーブルクリップ，１０…バンド固定体，１２…固定用バンド挿入孔，１２ａ…開口部，１３…固定用バンド挿入孔，１３ｂ…開口部，１５・１６…抜け防止片，２０…固定用バンド，２１…基部，２２…前部，３１…第１結束部，３２…第２結束部，３５…連結部材，４５…アンテナ，５０…ベランダ，５１…支柱，５２…同軸ケーブル，１２０…係止歯，１５１・１６１…連結部，１５２・１６２…係止爪。
【図１】
2007089364.tif 000003
【図２】
2007089364.tif 000004
【図３】
2007089364.tif 000005
【図４】
2007089364.tif 000006
【図５】
2007089364.tif 000007
【図６】
2007089364.tif 000008